(57)【要約】【課題】表示部に表示しているコンテンツに関連する関連コンテンツの少なくとも一部や作成者の連絡先などを自動的に表示部に表示する。【解決手段】クライアント端末のＬＣＤ１４に作成中のコンテンツ５０を表示すると、自動的にキーワード抽出プログラムが実行される。コンテンツ５０の中からキーワードが抽出され、キーワードと関連コンテンツの検索要求信号とが一緒にサーバに送信される。サーバでは、キーワードまたは類似キーワードを含む関連コンテンツがコンテンツＤＢから抽出され、関連性が高い順に表示順序タグがタイトルに付される。表示順序タグに従って、作成者ＤＢから作成者の氏名，所属部署，連絡先が読み出され、サーバからクライアント端末に送信される。ＬＣＤ１４に表示されたコンテンツ作成画面５１の右側ペイン５２に、サーバから受信した関連コンテンツのタイトル，作成者の所属部署，氏名，及び連絡先が表示される。【選択図】図６
2010198084.tif 000002
【特許請求の範囲】
【請求項１】
複数のコンテンツを登録したコンテンツデータベースと、
前記各コンテンツを作成した作成者の情報を登録した作成者データベースと、
前記コンテンツデータベースに登録されているコンテンツまたは作成中のコンテンツを表示する表示部と、
前記表示部に表示されているコンテンツからキーワードを抽出するキーワード抽出部と、
前記キーワードに基づいて前記コンテンツに関連する関連コンテンツを前記コンテンツデータベースから検索して読み出すとともに、この読み出された関連コンテンツを作成した作成者の情報を前記作成者データベースから検索して読み出し、前記関連コンテンツ及び作成者の情報の少なくとも一部を前記表示部に表示する制御部と
からなることを特徴とする関連コンテンツ表示装置。
【請求項２】
前記制御部は、前記関連コンテンツ及び作成者の情報の少なくとも一部を、前記表示部に表示されているコンテンツと並列して、前記表示部に表示することを特徴とする請求項１記載の関連コンテンツ表示装置。
【請求項３】
前記キーワードに類似する類似キーワードを登録した類語辞書データベースを設け、前記制御部は、前記キーワードまたは類似キーワードに一致するキーワードを有することにより前記コンテンツに関連する関連コンテンツを前記コンテンツデータベースから検索して読み出すことを特徴とする請求項１または２記載の関連コンテンツ表示装置。
【請求項４】
前記作成者の情報には、少なくとも作成者の氏名，所属部署，連絡先が含まれていることを特徴とする請求項１ないし３いずれか１項記載の関連コンテンツ表示装置。
【請求項５】
前記表示部に表示された作成者の情報の少なくとも一部を指示する指示手段を設け、この指示手段によって前記作成者の情報の少なくとも一部を指示することにより、前記制御部は、前記作成者に関するより詳しい情報を前記作成者データベースから読み出して表示部に表示することを特徴とする請求項１ないし４いずれか１項記載の関連コンテンツ表示装置。
【請求項６】
前記作成者に関するより詳しい情報には、前記作成者が作成した関連コンテンツの内容の少なくとも一部を示す関連コンテンツに関する情報が含まれていることを特徴とする請求項５記載の関連コンテンツ表示装置。
【請求項７】
所定のコンテンツを表示する表示部と、この表示部に表示されているコンテンツに含まれるキーワードを抽出するキーワード抽出部と、外部との通信を行ない、前記キーワードを外部に送信する第１通信部とを備えた端末と、
複数のコンテンツを登録したコンテンツデータベースと、前記コンテンツを作成した作成者の情報を登録した作成者データベースと、前記端末から受信したキーワードに基づいて前記コンテンツに関連する関連コンテンツを前記コンテンツデータベースから検索して読み出すとともに、この読み出された関連コンテンツを作成した作成者の情報を前記作成者データベースから検索して読み出す検索部と、前記端末からキーワードを受信するとともに、前記検索部により検索された関連コンテンツ及び作成者の情報の少なくとも一部を前記端末に送信する第２通信部とを備えたサーバと、
前記端末に設けられ、前記サーバから受信した前記関連コンテンツ及び作成者の情報の少なくとも一部を前記表示部に表示する制御部と
からなることを特徴とする関連コンテンツ表示システム。
【発明の詳細な説明】
【技術分野】
【０００１】
ＬＣＤ等の表示部に表示されたコンテンツに関連する関連コンテンツを表示する関連コンテンツ表示装置及びシステムに関する。
【背景技術】
【０００２】
社内において管理している販売管理や顧客情報等の情報を、社外で活動する営業員等の社員が、社外端末（パーソナルコンピュータ等）からインターネットを介して社内のデータベースにアクセスし、例えば「顧客情報の検索」を指示して情報を取得する情報取得システムが知られている（特許文献１）。
【０００３】
「あいまい検索」で検索指示すると、アクティブなアプリケーションによって表示されているドキュメントからキーワードを抽出して、非アクティブなアプリケーションによって表示されているドキュメントとの関連性を調べ、関連するドキュメントを表示するドキュメント検索装置及びドキュメント検索プログラムが知られている（特許文献２）。
【０００４】
ユーザの探索行動に応じて、ユーザが注目する主コンテンツ（例えば音楽）の特徴量を特定し、これを数値化してベクトルとして主コンテンツの特徴ベクトルを求め、これに最も近い特徴ベクトルを有する副コンテンツ（例えば広告）を選んで主コンテンツの関連コンテンツとして表示するコンテンツ表示装置及びコンテンツ表示方法が知られている（特許文献３）。
【０００５】
コンテンツ（番組の映像）の再生中に字幕の表示がユーザによって指示されると、再生中のコンテンツに紐付けられた字幕が表示され、この中のキーワードから所定のキーワードを選択すると、このキーワードを含む字幕と紐付けられた映像や番組が再生中のコンテンツに替わって表示されるようにした再生装置が知られている（特許文献４）。
【先行技術文献】
【特許文献】
【０００６】
【特許文献１】特開２００４−３８２５９号公報
【特許文献２】特開２００６−１４６４５８号公報
【特許文献３】特開２００８−５２６６５号公報
【特許文献４】特開２００８−６１１２０号公報
【発明の概要】
【発明が解決しようとする課題】
【０００７】
上記特許文献１〜４記載のいずれの装置やシステムにおいても、ユーザが検索を希望した場合に、表示しているコンテンツに関連する関連コンテンツを表示するもので、ユーザが検索しようとしない限り、関連コンテンツが表示されることがない。したがって、社員がなんらかのコンテンツを作成しようとする場合、既に類似した関連コンテンツがあるにもかかわらず、その存在を知らずに同じようなコンテンツを重複して作成してしまう場合があり、時間等の大きな損失となる。また、予め関連コンテンツの存在を知っていれば、これをベースとすることで、コンテンツ作成の手間の削減や品質の向上を図ることができる。また、関連コンテンツの作成者に意見を聞くことができれば、より高品質のコンテンツを作成できる可能性が高くなる。また、既存のコンテンツを閲覧している場合でも、閲覧中のコンテンツに関連する関連コンテンツが判れば、この関連コンテンツを閲覧することで、より広く確かな情報を取得することができる。
【０００８】
本発明は、上記課題を鑑みてなされたものであり、表示部に表示しているコンテンツに関連する関連コンテンツの少なくとも一部や作成者の連絡先などを自動的に表示部に表示する関連コンテンツ表示システム及び方法を提供することを目的とする。
【課題を解決するための手段】
【０００９】
本発明の関連コンテンツ表示装置は、複数のコンテンツを登録したコンテンツデータベースと、前記各コンテンツを作成した作成者の情報を登録した作成者データベースと、前記コンテンツデータベースに登録されているコンテンツまたは作成中のコンテンツを表示する表示部と、前記表示部に表示されているコンテンツからキーワードを抽出するキーワード抽出部と、前記キーワードに基づいて前記コンテンツに関連する関連コンテンツを前記コンテンツデータベースから検索して読み出すとともに、この読み出された関連コンテンツを作成した作成者の情報を前記作成者データベースから検索して読み出し、前記関連コンテンツ及び作成者の情報の少なくとも一部を前記表示部に表示する制御部とからなることを特徴とする。
【００１０】
前記制御部は、前記関連コンテンツ及び作成者の情報の少なくとも一部を、前記表示部に表示されているコンテンツと並列して、前記表示部に表示することが好ましい。
【００１１】
前記キーワードに類似する類似キーワードを登録した類語辞書データベースを設け、前記制御部は、前記キーワードまたは類似キーワードに一致するキーワードを有することにより前記コンテンツに関連する関連コンテンツを前記コンテンツデータベースから検索して読み出すことが好ましい。
【００１２】
前記作成者の情報には、少なくとも作成者の氏名，所属部署，連絡先が含まれていることが好ましい。
【００１３】
前記表示部に表示された作成者の情報の少なくとも一部を指示する指示手段を設け、この指示手段によって前記作成者の情報の少なくとも一部を指示することにより、前記制御部は、前記作成者に関するより詳しい情報を前記作成者データベースから読み出して表示部に表示することが好ましい。
【００１４】
前記作成者に関するより詳しい情報には、前記作成者が作成した関連コンテンツの内容の少なくとも一部を示す関連コンテンツに関する情報が含まれていることが好ましい。
【００１５】
本発明の関連コンテンツ表示システムは、所定のコンテンツを表示する表示部と、この表示部に表示されているコンテンツに含まれるキーワードを抽出するキーワード抽出部と、外部との通信を行ない、前記キーワードを外部に送信する第１通信部とを備えた端末と、複数のコンテンツを登録したコンテンツデータベースと、前記コンテンツを作成した作成者の情報を登録した作成者データベースと、前記端末から受信したキーワードに基づいて前記コンテンツに関連する関連コンテンツを前記コンテンツデータベースから検索して読み出すとともに、この読み出された関連コンテンツを作成した作成者の情報を前記作成者データベースから検索して読み出す検索部と、前記端末からキーワードを受信するとともに、前記検索部により検索された関連コンテンツ及び作成者の情報の少なくとも一部を前記端末に送信する第２通信部とを備えたサーバと、前記端末に設けられ、前記サーバから受信した前記関連コンテンツ及び作成者の情報の少なくとも一部を前記表示部に表示する制御部とからなることを特徴とする。
【発明の効果】
【００１６】
本発明によれば、既存のコンテンツまたは作成中のコンテンツを表示部に表示すると、コンテンツからキーワードが抽出され、このキーワードに基づいてコンテンツに関連する関連コンテンツがコンテンツデータベースから検索されて読み出されるとともに、関連コンテンツを作成した作成者の情報が作成者データベースから検索されて読み出され、表示部に関連コンテンツ及び作成者の情報の少なくとも一部が表示されるので、表示部に表示しているコンテンツに関連する関連コンテンツの少なくとも一部や作成者の連絡先などを自動的に表示部に表示することができる。この結果、コンテンツを作成中の場合、関連コンテンツをベースとしたり、関連コンテンツの作成者に意見を聞くことで、コンテンツ作成の手間の削減や品質の向上を図ることができる。また、既存のコンテンツを閲覧している場合、閲覧中のコンテンツに関連する関連コンテンツを閲覧することで、より広く確かな情報を取得することができる。
【図面の簡単な説明】
【００１７】
【図１】関連コンテンツ表示システムの構成を示す概略図である。
【図２】クライアント端末の内部構成を示す機能ブロック図である。
【図３】サーバの内部構成を示す機能ブロック図である。
【図４】コンテンツとキーワードと対応関係を示すコンテンツＤＢのデータテーブルである。
【図５】作成者，所属部署，連絡先，コンテンツタイトルの対応関係を示す作成者ＤＢのデータテーブルである。
【図６】コンテンツ作成画面及び右側ペインを表示したＬＣＤの表示画面例である。
【図７】作成者の業務情報を表示したＬＣＤの表示画面例である。
【図８】クライアント端末とサーバの各処理手順を示すフローチャートである。
【発明を実施するための形態】
【００１８】
本発明の実施形態における関連コンテンツ表示システム１０は、図１に示すように、コンテンツデータベース（コンテンツＤＢ）４１（図３参照）を有するサーバ１１と、通信ネットワーク１２と、これに繋がれたクライアント端末１３とで構成され、会社等の特定の組織や団体（以下、単に組織という）内に構築される。以下、コンテンツとして、技術資料や論文等の文書データ（以下、単にドキュメントという）を用いる場合について説明する。
【００１９】
関連コンテンツ表示システム１０は、クライアント端末１３に接続された液晶ディスプレイ（表示部に該当、以下ＬＣＤという）１４に表示されたコンテンツに関連性が高い別のコンテンツ（以下、関連コンテンツという）及びその作成者を、サーバ１１から検索してＬＣＤ１４に表示し、必要ならば、その作成者と連絡がとれるようにする。ＬＣＤ１４に表示されたコンテンツとは、既存のコンテンツに限らず、ユーザがクライアント端末１３を用いて作成途中（以下、単に作成中という）のコンテンツも含む。
【００２０】
クライアント端末１３は、例えば周知のパーソナルコンピュータやワークステーションであり、前記ＬＣＤ１４の他、操作信号を出力するマウス１５及びキーボード１６からなる操作部１７を備えている。
【００２１】
クライアント端末１３の機能ブロックを示す図２において、ＣＰＵ２０は、操作部１７から入力される操作信号などに従ってクライアント端末１３全体を統括的に制御する。ＣＰＵ２０には、操作部１７の他に、データバス２１を介して、ＲＡＭ２２、ハードディスクドライブ（ＨＤＤ）２３、通信インターフェース（通信Ｉ／Ｆ）２４、表示制御部２５、及びＬＣＤ１４が接続されている。
【００２２】
通信Ｉ／Ｆ２４は、例えばモデムやルータであり、通信ネットワーク１２に適合した通信プロトコルの制御を行い、通信ネットワーク１２を経由したデータの遣り取りを媒介する。表示制御部２５は、ＬＣＤ１４の表示を制御し、コンテンツ等（図３参照）を表示する。
【００２３】
ＲＡＭ２２は、ＣＰＵ２０が処理を実行するための作業用メモリである。ＨＤＤ２３には、クライアント端末１３を動作させるための各種プログラムやデータが記憶されている。ＣＰＵ２０は、ＨＤＤ２３からプログラムを読み出してＲＡＭ２２に展開し、読み出したプログラムを逐次実行する。
【００２４】
ＨＤＤ２３には、キーワード抽出プログラム２６，関連コンテンツ検索プログラム２７が記憶されている。キーワード抽出プログラム２６が実行されると、ＬＣＤ１４に表示されているコンテンツの中から、自動的にキーワードが抽出される。このキーワードとしては、コンテンツのタイトルの他、コンテンツ内に出現する回数が多い、例えば３回以上出現する頻出単語が選択される。また、作成中のコンテンツの場合には、タイトル，頻出単語の他、最後に入力した（最も新しく入力した）単語もキーワードとして選択される。
【００２５】
関連コンテンツ検索プログラム２７は、キーワード抽出プログラム２６の実行によって抽出されたキーワードを、関連コンテンツの検索要求信号と一緒に、通信Ｉ／Ｆ２４及び通信ネットワーク１２を介してサーバ１１に送信する。なお、通常は、サーバ１１に蓄積されているコンテンツの全てが検索対象とされるが、クライアント端末１３のユーザがキーボード１６等から指示した場合、特定の所属部署内や閲覧権限を有するコンテンツのみが検索対象とされる。
【００２６】
サーバ１１の機能ブロックを示す図３において、ＣＰＵ４０は、通信ネットワーク１２を経由してクライアント端末１３から入力される操作信号や関連コンテンツの検索要求信号に従って、サーバ１１全体を統括的に制御する。
【００２７】
ＣＰＵ４０には、データバス４１を介して、ＲＡＭ４２、ハードディスクドライブ（ＨＤＤ）４３、通信Ｉ／Ｆ４４、及び関連度算出部４５が接続されている。
【００２８】
ＲＡＭ４２は、ＣＰＵ４０が処理を実行するための作業用メモリである。ＨＤＤ４３には、サーバ１１を動作させるための各種プログラムやデータが記憶されている。ＣＰＵ４０は、ＨＤＤ４３からプログラムを読み出してＲＡＭ４２に展開し、読み出したプログラムに基づいて処理を実行する。
【００２９】
通信Ｉ／Ｆ４４は、通信ネットワーク１２に適合した通信プロトコルの制御を行い、通信ネットワーク１２を経由したデータの遣り取りを媒介する。通信Ｉ／Ｆ４４を媒介して取得されたデータは、ＲＡＭ４２に一時的に記憶される。
【００３０】
ＨＤＤ４３には、キーワード抽出プログラム４６、コンテンツデータベース（コンテンツＤＢ）４７、作成者データベース（作成者ＤＢ）４８、及び類語辞書データベース（類語辞書ＤＢ）４９が構成されている。類語辞書ＤＢ４９には、単語同士の上位／下位関係、部分／全体関係、同義、類義関係などの関連性によって単語を分類し、体系化した日本語のシソーラス辞書のデータが記憶されている。
【００３１】
キーワード抽出プログラム４６は、クライアント端末１３でコンテンツの登録操作が行なわれた場合、通信Ｉ／Ｆ４４を介してクライアント端末１３から送信されてきたコンテンツからキーワードを抽出して、ＲＡＭ４２に一時的に記憶する。ＣＰＵ４０は、コンテンツとＲＡＭ４２に一時的に記憶されたキーワードとを、図４に示すように、データテーブルにより関連づけしてコンテンツＤＢ４７に登録する。このようにコンテンツＤＢ４７に登録されるコンテンツには、クライアント端末１３から送信されてきたコンテンツの他、ＣＤ−ＲＯＭ等の記憶媒体から入力されるコンテンツがある。このようにして組織内の各所から集められたコンテンツと、これから抽出されたキーワードとが、関連付けされてコンテンツＤＢ４７に蓄積される。
【００３２】
コンテンツとしては、ドキュメントのデータであるDOCU0001.doc，DOCU0002.doc，DOCU0003.doc，・・・が登録され、例えば、DOCU0001.docに関連付けられたキーワードのデータとしては、KA1，KA2，KA3，・・・が登録されている。KA1は、DOCU0001.docのタイトルである。KA2，KA3，・・・は、DOCU0001.doc内に用いられている単語のうち、出現頻度が高い、例えば３回以上出現する頻出単語のデータである。
【００３３】
作成者ＤＢ４８には、組織内に所属する従業員の中で、これまで１個以上のコンテンツを作成した者を作成者として、図５に示すように、各作成者の氏名（山田太郎等）と、所属部署（設計部等）と、連絡先（メールアドレス及び電話番号）と、各作成者がこれまでに作成したコンテンツのタイトルのデータKA1，KC1，・・・とが、データテーブルにより関連付けされて蓄積されている。
【００３４】
ＣＰＵ４０は、クライアント端末１３からＬＣＤ１４に表示されているコンテンツのキーワード及び関連コンテンツの検索要求信号を受信したとき、前記キーワードに類似したキーワード（以下、類似キーワードという）を類語辞書ＤＢ４９から検索して読み出し、コンテンツＤＢ４７に蓄積されたコンテンツのうち、クライアント端末１３から送られたキーワードまたは類似キーワードと一致するキーワードを有する関連コンテンツを検索して読み出し、ＲＡＭ４２に一時的に記憶させる。類似キーワードを用いることによりいわゆる「あいまい検索」が行なわれる。
【００３５】
関連度算出部４５は、ＲＡＭ４２に記憶された関連コンテンツを参照して、クライアント端末１３から送られたキーワードまたは類似キーワードと一致するキーワードの数が多い関連コンテンツほど、クライアント端末１３のＬＣＤ１４に表示されているコンテンツとの関連性が高い関連コンテンツであると判断し、関連性がより高い関連コンテンツが、右側ペイン５２の上方部に表示されるように、関連コンテンツのタイトルに表示順序を示す表示順序タグを付す。
【００３６】
ＣＰＵ４０は、関連コンテンツのタイトルに付された表示順序タグに従って、作成者ＤＢ４８から関連コンテンツの作成者の氏名，所属部署，連絡先をそれぞれ読み出して、表示順序タグ付きの関連タイトルと一緒に通信Ｉ／Ｆ４４及び通信ネットワーク１２を介して、クライアント端末１３に送る。
【００３７】
クライアント端末１３は、通信ネットワーク１２及び通信Ｉ／Ｆ２４を介してサーバ１１から受信した関連コンテンツのタイトル，作成者の所属部署，氏名，及び連絡先をＲＡＭ２２に記憶するとともに表示制御部２５を駆動し、図６に示すように、作成中のコンテンツ５０を表示するＬＣＤ１４のコンテンツ作成画面５１の右側ペイン５２に表示する。図中の符号５３は関連コンテンツのタイトル、符号５４，５５はその作成者の所属部署、氏名、符号５６，５７は作成者の連絡先であるメールアドレスと電話番号をそれぞれ示す。
【００３８】
ユーザがカーソル５８をタイトル５３に合わせてマウス１５をクリック操作（以下、単にクリック操作という）すると、クライアント端末１３のＣＰＵ２０は、関連コンテンツの閲覧要求をサーバ１１に送信する。コンテンツＤＢ４７に登録されている各コンテンツには、予め閲覧を許可するクライアント端末（シリアル番号等）が登録されており、これに該当しないクライアント端末から閲覧要求を受信した場合、サーバ１１のＣＰＵ４０は、その関連コンテンツの閲覧権限がない旨のメッセージをクライアント端末に送信して、閲覧を拒否する。なお、閲覧権限の有無は、ユーザが画面を見て判断できるように、タイトル５３の近傍等にマークや色を付して区別できるようにしてもよい。
【００３９】
閲覧権限がない旨のメッセージがＬＣＤ１４に表示されても、関連コンテンツを閲覧したい場合、クライアント端末１３のユーザは、閲覧したい関連コンテンツについての閲覧希望届を管理する管理者（通常はサーバ１１の管理者か関連コンテンツの作成者等）に送る。この閲覧希望届としては、例えば、組織内の文書管理システムに則った独自フォーマットのメールが用いられる。この場合、例えば、コンテンツ作成画面５１に「閲覧希望届」というボタンを表示し、これをクリック操作すると、予めクライアント端末１３にインストールされている所定のメールソフトが起動して、閲覧希望者の氏名（クライアント端末１３のユーザの氏名）と、閲覧希望のコンテンツのタイトル（例えばタイトル５３）が、閲覧希望届の該当欄に自動的に入力される。管理者から閲覧権限付与の返信メールが届くと、閲覧を希望した関連コンテンツの閲覧が可能になる。
【００４０】
クライアント端末１３から関連コンテンツの閲覧要求がサーバ１１に送信され、関連コンテンツの閲覧権限がある場合には、該当する関連コンテンツがサーバ１１からクライアント端末１３にダウンロードされてＬＣＤ１４に表示される。
【００４１】
カーソル５８を作成者の氏名５５に合わせてクリック操作すると、図７に示すように、作成者の詳しい業務情報６０がサーバ１１からダウンロードされてＬＣＤ１４の表示画面に一覧表示される。この業務情報６０としては、これまで作成者が作成してきたコンテンツの代表的なキーワード６１や、代表的なコンテンツのタイトル５３とそのコンテンツの代表的なページのサムネイル画像６３等がある。また、ＬＣＤ１４の表示画面の上方部には、戻るボタン６４が設けられており、これにカーソル５８を合わせてクリック操作すると、図６に示すコンテンツ作成画面に戻る。
【００４２】
サムネイル画像６３にカーソル５８を合わせてクリック操作すると、クライアント端末１３からサムネイル画像６３に対応するコンテンツの閲覧要求がサーバ１１に送信される。サーバ１１のＣＰＵ４０は、そのコンテンツの閲覧権限がクライアント端末１３にあるか否かを確認し、閲覧権限がない場合には、閲覧拒否のメッセージをクライアント端末に送信し、閲覧権限がある場合には、サムネイル画像６３に対応するコンテンツ（関連コンテンツ）の全文データをクライアント端末１３に送信する。
【００４３】
関連コンテンツの全文データを受信したクライアント端末１３は、ＬＣＤ１４に関連コンテンツの全文を表示する。ＬＣＤ１４に関連コンテンツの全文が一度に表示できない場合には、関連コンテンツをスクロールして閲覧する。
【００４４】
次に、以上のように構成された関連コンテンツ表示システム１０の作用について図８のフローチャートに従って説明する。なお、括弧内のｓｔ（ステップの意）１等は、図８に示すｓｔ１等に対応する。クライアント端末１３のＬＣＤ１４にコンテンツ作成画面５１を表示して作成中のコンテンツ５０を表示すると（ｓｔ１）、自動的にキーワード抽出プログラム２６が実行される（ｓｔ２）。
【００４５】
これにより、ＬＣＤ１４に表示されているコンテンツ５０の中から、キーワードとして、タイトルの「顔検出の今後について」の他、コンテンツ５０内に３回以上出現する頻出単語、例えば「顔検出」，「正面」，「横顔」等に加え、作成途中で最も新しく入力した単語もキーワードとして選択される。
【００４６】
続いて、関連コンテンツ検索プログラム２７が実行され（ｓｔ３）、キーワードと関連コンテンツの検索要求信号とが一緒に、通信Ｉ／Ｆ２４及び通信ネットワーク１２を介してサーバ１１に送信される（ｓｔ４）。
【００４７】
サーバ１１では、クライアント端末１３から、キーワードと関連コンテンツの検索要求信号とを受信すると、キーワードに類似した類似キーワードが類語辞書ＤＢ４９から読み出され、キーワードまたは類似キーワードと一致するキーワードを有する関連コンテンツがコンテンツＤＢ４７から検索され、抽出される（ｓｔ５）。
【００４８】
次に、コンテンツＤＢ４７から抽出された関連コンテンツに対して、関連度算出部４５が駆動され、キーワード，類似キーワードと一致するキーワードの数が多い関連コンテンツほど右側ペイン５２の上方部に表示されるように、関連コンテンツのタイトルに表示順序タグが付される（ｓｔ６）。
【００４９】
関連コンテンツのタイトルに付された表示順序タグに従って、作成者ＤＢ４８から作成者の氏名，所属部署，連絡先が読み出され、表示順序タグ付きのタイトルと一緒に通信Ｉ／Ｆ４４及び通信ネットワーク１２を介して、サーバ１１からクライアント端末１３に送信される（ｓｔ７）。
【００５０】
クライアント端末１３のＬＣＤ１４に表示されているコンテンツ作成画面５１の右側ペイン５２に、サーバ１１から受信した関連コンテンツのタイトル，作成者の所属部署，氏名，及び連絡先が表示される（ｓｔ８）。
【００５１】
作成者の氏名５５がクリック操作されると（ｓｔ９）、クライアント端末１３からサーバ１１へ作成者の詳しい業務情報６０の閲覧要求が送信され（ｓｔ１０）、業務情報６０がサーバ１１からダウンロードされて（ｓｔ１１）ＬＣＤ１４に一覧表示される（ｓｔ１２）。
【００５２】
業務情報６０に表示された関連コンテンツの代表的なページのサムネイル画像６３をクリック操作すると（ｓｔ１３）、クライアント端末１３からサーバ１１へ関連コンテンツの閲覧要求が送信される（ｓｔ１４）。サーバ１１のＣＰＵ４０は、関連コンテンツの閲覧権限がクライアント端末１３にあるか否かを確認し（ｓｔ１５）、閲覧権限がない場合には全文の閲覧表示は拒否される（ｓｔ１６）。
【００５３】
クライアント端末１３に関連コンテンツの閲覧権限がある場合（ｓｔ１５）、クリック操作されたサムネイル画像６３に対応する関連コンテンツのデータがサーバ１１からクライアント端末１３へダウンロードされ（ｓｔ１７）、ＬＣＤ１４に関連コンテンツが表示される（ｓｔ１８）。
【００５４】
また、図６に示すＬＣＤ１４のコンテンツ作成画面５１や、図７に示す業務情報６０の表示画面上で、メールアドレス５６をクリック操作すると、予めクライアント端末１３にインストールされている所定のメールソフトが起動され、作成者宛に質問等のメール送信が可能となる。
【００５５】
なお、上記作用では、コンテンツ作成画面５１上で関連コンテンツのタイトル５３をクリック操作することによる関連コンテンツの表示については、ステップ１３（ｓｔ１３）からステップ１８（ｓｔ１８）までの説明と同様であるから、説明を省略する。
【００５６】
以上説明した実施形態は、関連コンテンツ表示システムであったが、クライアント端末１３に、サーバ１１の機能、具体的には、ＨＤＤ２３にコンテンツＤＢ４７，作成者ＤＢ４８，類語辞書ＤＢ４９を構成し、更に関連度算出部４５を設けることにより、クライアント端末１３を関連コンテンツ表示装置の実施形態とすることができる。
【００５７】
上記実施形態では、ＬＣＤに作成中のコンテンツを表示している場合について説明したが、既存のコンテンツを閲覧表示している場合であっても、最後に入力した単語をキーワードとして選択しないという他は、相違がないので、説明を省略する。
【００５８】
上記実施形態では、作成者の業務情報の表示の際には、閲覧権限の有無を問わなかったが、この際にも、閲覧権限の有無を問うようにしてもよい。
【００５９】
上記実施形態では、コンテンツとして文書データ等のドキュメントを例に挙げて説明したが、これに替えて、画像データ、動画データ、音楽データ、コンピュータソフト、Ｗｅｂページであってもよく、また、文書データも含め、これらの複合物をコンテンツとしても良い。この場合、コンテンツから抽出されるキーワードとしては、コンテンツのタイトルが主となる。また、各コンテンツから抽出されるキーワードは、文字に限られず、記号や数字を用いて表しても良い。
【００６０】
上記実施形態では、画面の右側ペインに表示するのはコンテンツのタイトルと、その作成者の氏名と、連絡先としたが、これに加えて、コンテンツの抜粋や最初の数行を表示するようにしてもよい。なお、表示部としては、ＬＣＤに限らず、ＣＲＴや有機ＥＬディスプレイ等でもよい。
【００６１】
上記実施形態では、閲覧権限がないコンテンツを閲覧したい場合、組織内の文書管理システムに則った独自フォーマットのメールによって閲覧希望届を提出したが、ユーザによる自由な形式での閲覧希望届でもよい。
【符号の説明】
【００６２】
１０  関連コンテンツ表示システム
１１  サーバ
１２  通信ネットワーク
１３  クライアント端末
１４  ＬＣＤ
２０，４０  ＣＰＵ
２３，４３  ＨＤＤ
２６，４６  キーワード抽出プログラム
２７  関連コンテンツ検索プログラム
４５  関連度算出部
４７  コンテンツＤＢ
４８  作成者ＤＢ
４９  類語辞書ＤＢ
５０  コンテンツ
５１  コンテンツ作成画面
５２  右側ペイン
５３  タイトル
５５  氏名
５６  メールアドレス
６０  業務情報
６１  キーワード
６３  サムネイル画像
【図１】
2010198084.tif 000003
【図２】
2010198084.tif 000004
【図３】
2010198084.tif 000005
【図４】
2010198084.tif 000006
【図５】
2010198084.tif 000007
【図６】
2010198084.tif 000008
【図７】
2010198084.tif 000009
【図８】
2010198084.tif 000010